(57)【特許請求の範囲】
【請求項１】
内部の電池によって電力が供給されて通信可能となる無線通信装置であって、
音声の通信を行うための音声通信手段と、
画像の通信を行うための画像通信手段と、
前記電池の電力残量を検出する残量検出手段と、
前記残量検出手段によって検出された電力残量が充分である場合は送信電力を大きく必要とする高速なデータ通信速度とし音声通信と画像通信の両方を実行し、電力残量が少ない場合は、送信電力が小さくてすむ低速なデータ通信速度とし音声通信のみ実行するように制御する制御手段と、
受信した画像を表示する表示器を有し、
前記音声通信と前記画像通信の両方を実行しているときにおける最後に受信した画像を、前記音声通信のみの実行のときに前記表示器に表示することを特徴とする無線通信装置。
【請求項２】
前記画像通信手段へ画像を入力するための画像入力手段たるカメラを有し、
前記音声通信と、前記カメラを用いた前記画像通信の両方を実行しているときから、前記音声通信のみの実行に切り替わると、前記カメラの電源を切ることを特徴とする請求項１記載の無線通信装置。
【発明の詳細な説明】
【０００１】
【発明の属する技術分野】
本発明は、内部の電池によって電力が供給される無線通信装置に関し、特に携帯型テレビ電話に関する。
【０００２】
【従来の技術】
携帯テレビ電話として、特開平８−９３４７号公報に記載されているものがある。この従来装置では、通信継続時間を長くするために、電池の電池残量を電源監視回路が検出し、これをもとにフレームレート（1 秒間における符号化伝送する画像枚数）を算出し、算出されたフレームレートで動画像信号を符号化処理する。これにより、電池の残量が少なくなった場合には、動画像はぎこちなくなるが、動画符号化回路の消費電力を少なくするものである。
【０００３】
【発明が解決しようとする課題】
しかしながら、上記従来の構成では、動画像符号化回路の消費電力は抑えることが出来るが、この消費電力低減量は、携帯型テレビ電話全体での消費電力に対しては非常に小さいものである。
【０００４】
本発明の目的は、内部の電池によって通信可能となる無線通信装置において、さらに消費電力を低減し、通信継続時間の長時間化を達成することにある。
【０００５】
また、本発明の他の目的は、内部の電池により通信可能となる無線通信装置において、内部の電池の電力を大幅に低減することなく、より速いデータ通信速度にてデータを送信することにある。
【０００６】
【課題を解決するための手段】
本発明者は、上記目的を達成するために、以下の点に着目した。すなわち、無線通信装置において、消費電力の多くはデータ送受信に使用され、この部分の消費電力を低減することによって、無線通信装置の消費電力を大幅に低減できることに着目した。
【０００９】
請求項１記載の発明では、音声と画像との両方を通信可能な通信装置において、制御手段は、音声通信手段による音声通信と画像通信手段による画像通信とを実行し制御するように設けられ、残量検出手段によって検出された電池の電力残量に基づき、電力残量が充分である場合は送信電力が大きく必要とする高速なデータ通信速度とし音声通信と画像通信の両方を実行し、電力残量が少ない場合は送信電力が少なくてすむ低速なデータ通信速度とし音声通信のみ実行するように制御する。
これにより、電池の残量が充分ある場合は高速にデータ通信し、電池の残量が少なくなれば低速のデータ通信を行い通信の継続が可能となる。このように本発明では、無線通信装置の消費電力のうち大きなウエイトを占めるデータ通信速度を電池の残量によって可変するため、従来に比べて大幅な消費電力の低減が行なえ、通信継続時間を長くすることができる。
【００１０】
さらに、電池の残量が充分ある場合は高速にデータ通信し音声通信と画像通信の両方を行うが、電池の残量が少なくなれば低速のデータ通信を行い音声通信のみとはなるが通信の継続が可能となる。即ち、電池の残量が少なくなれば自動的に音声通信のみに切替わるので、ユーザーにとって使用上便利である。
【００１４】
これにより、電池で動作している場合は、低解像度で送信することにより電池による通信継続時間をより一層長くすることができる。一方、外部電源から給電されている場合は、高解像度で高画質な画像送信を実現できる。
【００１７】
【発明の実施の形態】
（第１実施形態）
以下、本発明の一実施例につき、図面を参照しながら説明する。なお、本実施の形態では、本発明を音声と画像とを通信する携帯型テレビ電話に適用したものである。通信方式（アクセス方式）としては、拡散符号を用いたＣＤＭＡ（符号分割多重アクセス）通信や、ＴＤＭＡ（時分割多重アクセス）通信を用いると良い。
【００１８】
ここで、これらのアクセスを用いる無線通信装置においては、データ通信速度が速いほど、大きな送信出力が必要となる。図３にデータ通信速度と送信電力の関係を示す。
【００１９】
例えばＣＤＭＡの場合は、マルチコードという手法より高速通信が可能となり、３マルチコードを利用すれば３倍の高速通信が可能となる。ＴＤＭＡの場合は、マルチスロットという手法により高速通信が可能となり、例えば３マルチスロットを利用すれば３倍の高速通信が可能となる。しかし、図３から明らかのように送信出力が大きくなると、それに伴い消費電力は大きくなる。
【００２０】
このように本発明では、図３に示すデータ通信速度と消費電力との関係に着目し、電池の残量に応じてデータ通信速度を可変する。
【００２１】
先ず、電気的構成について図２を参照して述べる。制御手段たる制御部１は、マイクロコンピュータを主体として構成されたものである。この制御部１の入出力ポートは無線部２の信号入出力端子に接続されており、その無線部２の送受信端子はアンテナ３に接続されている。更に、制御部１の入出力ポートは音声処理部４の入出力端子に接続されており、この音声処理部４の出力端子及び入力端子は音声出力手段たるスピーカ５及び音声入力手段たるマイクロホン６にそれぞれ接続されている。
更に、制御部１の入出力ポートは画像処理部７の入出力端子に接続されており、この画像処理部７の出力端子及び入力端子は画像表示手段たる表示器８及び画像入力手段たるカメラ９にそれぞれ接続されている。そして、制御部１において、入力ポートは操作入力手段たるキー操作部１０に接続されている。
【００２２】
このキー操作部１０には、「電源」キー，「開始」キー，「終了」キー，「０」〜「９」の数字キー及び「画像」キー等の各種キーが設けられている。
【００２３】
尚、アンテナ３を含む無線部２及び音声処理部４は、本発明における音声通信手段を構成し、アンテナ３を含む無線部２及び画像処理部７は、本発明における画像通信手段を構成するものである。
【００２４】
ここで、発信者（ユーザ）によってキー操作部１０の電源キーが押圧操作されると図２に示す電気的構成回路に電源が投入され、アンテナ３が周辺基地局のうちの最も電界強度の強い電波をとらえて受信高周波信号として無線部２に伝送する。無線部２は、受信高周波信号をアンテナ共用器，高周波増幅器及び受信ミキサを介し受信ベースバンド信号に変換して制御部１に伝送する。そして、制御部１は、受信ベースバンド信号を復調することにより報知情報を得るようになっており、得られた報知情報から位置登録が必要と判断した時には、位置登録情報を送信ベースバンド信号に変換して無線部２に伝送する。無線部２は、この送信ベースバンド信号を送信ミキサにより送信高周波信号に変換して電力増幅器及びアンテナ共用器を介しアンテナ３より電波として送信するようになっている。以上により、携帯電話機（制御部１）は、待受状態になるものである。
【００２５】
発信（発呼）する場合には、発信者がキー操作部１０のキーによって通信相手先の電話番号を入力すると、制御部１はその電話番号を画像処理部７を通して表示器８に表示させる。そして、発信者が電話番号を確認してキー操作部１０の「開始」キーを押圧操作することにより呼を成立させると、発信者の音声は、マイクロフォン６により電気信号に変換されて送信音声信号として音声処理部４に入力される。音声処理部４に入力された送信音声信号は、内部の増幅器，Ａ／Ｄ変換器を介してデジタル信号に変換され、更に、音声符号化回路を介して圧縮されて低ビットレート化した送信音声データ信号として制御部１に入力される。
【００２６】
そして、電波の状態が良好で６４ｋｂｐｓ以上の高速データ通信が可能な場合、発信者がキー操作部１０の選択手段たる「画像」キーを押圧操作すると、発信者側の画像は、カメラ９により電気信号に変換されて送信画像信号として画像処理部７に入力される。画像処理部７に入力された送信画像信号は、内部の増幅器，Ａ／Ｄ変換器を介してデジタル信号に変換され、更に、画像符号化回路を介して圧縮されて低ビットレート化した送信画像データ信号として制御部１に入力される。
【００２７】
制御部１は、入力された送信音声データ信号と送信画像信号とを符号分割多重（ＣＤＭＡ）処理し且つデジタル変調して送信ベーバン度信号として無線部２に伝送する。無線部２は、送信ベースバンド信号を送信高周波信号に変換し、更に、高周波電力増幅器，アンテナ共用器を介してアンテナ３から電波として基地局に送信する。
【００２８】
これとは逆に、基地局から送信された電波は、アンテナ３によって受けられて受信高周波信号として無線部２に伝送される。無線部２は、この受信高周波信号を、アンテナ共用器，高周波増幅器及び受信ミキサを介し受信ベースバンド信号に変換して制御部１に伝送する。制御部１は、この受信ベースバンド信号を、復調し且つＣＤＭＡ処理して受信音声データと受信画像データとに変換してそれぞれ音声処理部４と画像処理部７に伝送する。音声処理部４に伝送された受信音声データは、音声復号回路により伸張されて受信音声デジタル信号になり、これがＤ／Ａ変換回路よりアナログ信号たる受信音声信号に変換されて増幅器を介してスピーカ５に伝送される。従って、スピーカ５は、この受信音声信号を音に変換して受信音声を得るようになる。
【００２９】
また、画像処理部７に伝送された受信画像データは、画像復号回路により伸張されて受信画像デジタル信号になり、これが表示器８に伝送される。従って、表示器８は、この受信画像信号を表示できるようになる。
【００３０】
着呼する場合には、待受状態から基地局より着信メッセージが送信され、これをアンテナ３により受けて無線部２によりベースバンド信号に変換し、このベースバンド信号を制御部１により処理して着信メッセージがあったことを知って着呼動作を行ない、呼を成立させる。呼を成立させた後の動作は、発呼の場合と同様である。
【００３１】
電池１２は、各ブロックの電源を供給するものである。電池１２の電力残量が充分であれば、電池１２の電圧は高くなり、電力残量が少なくなれば、電池１２の電圧は低くなる。電源監視回路１１はＡ／Ｄ変換回路により電池１２の電圧を監視し、電圧のアナログ値をデジタル値にして制御部１に入力する。制御部１は、電源監視回路１１より入力された電池１２の電圧のデジタル値を基に、電池１２の電力残量を算出する。
【００３２】
次に、発呼時の具体的動作について、図１のフローチャートを参照して説明する。
【００３３】
発信者がキー操作部１０の数字キーの操作により通信相手先の電話番号を入力するか或いは短縮キーの操作により通信相手先の電話番号を入力する。その後、キー操作部１０の「開始（発信）」キーを押圧操作すると、制御部１は、メインルーチンから抜けて図１に示す「通信処理」の割込みルーチンに移行する。すると制御部１は、処理ステップ１にて、電池１２の電圧を電源監視回路１１によりＡ／Ｄ変換され電圧デジタル値として入力されているので、この電圧デジタル値により電池１２の電力残量が何％であるかを算出し、次に「電池残量１０％？」の判断ステップ２へ移行する。
【００３４】
制御部１は、判断ステップＳ２では、処理ステップＳ１により算出された電池１２の電力残量が１０％以上（所定値以上）かどうかを判断し、１０％未満であるとき（「ＮＯ」のとき）には「電力残量１％以上？」の判断ステップＳ３に移行し、１０％以上のとき（「ＹＥＳ」のとき）には「通信速度を６４ｋｂｐｓに設定（算出）」の処理ステップＳ４に移行する。
【００３５】
制御部１は、処理ステップ４では、通信速度を６４ｋｂｐｓに設定（算出）し、次に「動画通信  音声通信」の処理ステップＳ５へ移行する。制御部１は、この処理ステップＳ５では、画像処理部７を動作させて、画像処理部７により表示器８に着信者側の画像を再生させ、発信者の画像をカメラ９にて画像処理部７に送信させて、画像通信モードとする。また、これと同時に音声処理部４を動作させ、音声処理部４によりスピーカ５に着信者側の音声を再生させるとともに、マイクロホン６によって発信者の音声を音声処理部４に入力させて音声通信モードとする。この結果、通信モードは、画像通信モードと音声通信モードとを併用して、画像と音声の両方を通信している状態になる。
【００３６】
次に、制御部１は、「通信終了？」の判断ステップＳ６に移行する。制御部１は、判断ステップＳ６では、発信者が「終了」キーを押圧操作しているか、或いは、着信者が呼を終了させるなどの通信終了の操作が行なわれたとき（「ＹＥＳ」のとき）には、メインルーチンに戻り（リターン）、終話処理を行なう。制御部１は、判断ステップＳ６にて上述のような通信終了のための操作がないとき（「ＮＯ」のとき）は、処理ステップＳ１に戻り処理を繰返す。
【００３７】
また、制御部１は、「電力残量１％以上？」の処理ステップＳ３にて、電池１２の電力残量が１％以上のとき（「ＹＥＳ」のとき）は、「通信速度を８ｋｂｐｓに設定」の処理ステップＳ７に移行し、電池１２の電力残量が１％以上でないとき（「ＮＯ」のとき）は、メインルーチンに戻り（リターン）、終話処理を行なう。  制御部１は、処理ステップＳ７では、通信速度を８ｋｂｐｓに設定し、次に「音声通信」の処理ステップＳ８に移行する。
【００３８】
制御部１は、この処理ステップＳ８では、音声処理部４を動作させ、音声処理部４によりスピーカ５に着信者側の音声を再生させ、又、マイクロホン６によって発信者の音声を音声処理部４に入力させ、以て、音声通信モードとし、もし画像通信モードとなっている場合は、画像処理部７の処理を停止させる。この場合、画像処理部７には画像１フレーム分のメモリを有するようになっており、制御部１は、表示器８に画像通信モードでの最後の画像を静止画として表示したままにする。
【００３９】
ここで、発信者のキー操作部１０のキー操作選択により、表示器８の電源を切ってその表示器８に何も表示させないようにすることも可能である。尚、制御部１は、処理ステップＳ８において、カメラ９の電源を切るようになっている。その後、制御部１は、「通信終了？」の判断ステップＳ６へ移行し、処理を繰返す。
【００４０】
このように、本実施例によれば、データ通信速度が早いほど、大きな送信出力が必要で、消費電力が大きくなることに着目し、データ通信速度を電池残量に応じて変えることで、次のような効果を得ることができる。
【００４１】
制御部１の制御により、電池１２の電力残量を算出し、電力残量が１０％以上の場合は通信速度を６４ｋｂｐｓにし、電力残量が１０％未満の場合は通信速度を８ｋｂｐｓに自動的に切替えることで、従来装置に比べて大幅の継続時間を長くすることが可能となる。なお、このような８ｋｂｓ，６４ｋｂといった通信速度は、音声通信を行う場合は、８ｋｂｐｓ程度の低速なデータ伝送速度で通信することが可能であるが、音声とともに画像を通信する場合は６４ｋｂｐｓ以上の高速なデータ通信速度が要求されることを考慮して設定した。
【００４２】
また、制御部１は、電池１２の電力残量を算出し、電力残量が１０％以上の場合は通信速度を６４ｋｂｐｓにし、音声通信手段たる無線部２及び音声処理部４と画像通信手段たる無線部２及び画像処理部７とによって、音声通信と画像通信とを同時に行なうことが可能となる。一方、電力残量が１０％未満の場合は自動的に通信速度を８ｋｂｐｓにし、音声通信のみを行なうようになるので、音声により通信の継続が可能となる。この結果、電池の残量が少なくなれば自動的に音声通信に切替わるので、ユーザーにとって使用上便利である。
【００４３】
また、この場合、発信者は、表示器８の画面上において画像の通信が停止されたことを見て電池１２の電力残量が少なくなったことを認識することができる。例えば、画像が送られていないこと及び電池１２の電力残量が少なくなったことを音声メッセージで相手側に伝えることもでき、必要ならば、あとで通信をやり直すことの旨を音声メッセージすることもできる。
【００４４】
（第２実施形態）
ところで、図３に示すようにデータ通信速度と消費電力との関係は、通信速度（送信速度）が大きくなるほど消費電力が大きくなる。従って、電池１２にて通信可能な携帯電話では、データ通信速度を大きくしすぎると、待ち受け時間や通話可能時間等の通信継続時間が短くなり、携帯型電話の利便性が悪くなる。例えば、上述のような携帯型テレビ電話にて画像通信を行なうと、例えば５分から１０分程度で電池１２の電力残量が０になる。そこで、データ通信速度を犠牲にし、ある程度低いものに設定しておき、通話継続時間を伸ばすことが第1 優先される。
【００４５】
本実施形態の目的は、内部の電池により通信可能となる無線通信装置において、内部の電池の電力による通信継続時間の低下を抑制するとともに、より速いデータ通信速度にて情報データを送信することができる無線通信装置を提供することにある。
【００４６】
図４に本実施形態における電気的構成を示す。図５は、携帯型テレビ電話の全体構成図（正面図）、および卓上充電器１４への装着を示したものである。図５は図１に対して充電制御回路１３および卓上充電器１４が追加されたものである。図５には、上記図２における電気機能部が示されている（符号３、５、８，９、１０）。
【００４７】
卓上充電器１４は、スイッチッング電源を内蔵し家庭用のコンセントのＡＣ１００ＶよりＤＣ５．８Ｖの電圧を取り出し、携帯テレビ電話本体が卓上充電器１４の上にのっているときは、このＤＣ５．８Ｖの電圧が充電制御回路１３に供給される。
【００４８】
充電制御回路１３は、卓上充電器１４に接続されているとき、ＤＣ５．８Ｖの電圧を内蔵している三端子レギュレータによりＤＣ４．１Ｖに電圧制限し、制御部１の制御により電池１２が満充電になれば充電を中止する。
【００４９】
次に、本実施形態における発呼時の具体的動作について、図６のフローチャートを参照して説明する。
【００５０】
発信者がキー操作部１０の数字キーの操作により通信相手先の電話番号を入力するか或いは短縮キーの操作により通信相手先の電話番号を入力する。その後、キー操作部１０の「開始（発信）」キーを押圧操作すると、制御部１は、メインルーチンから抜けて図６に示す「通信処理」の割込みルーチンに移行する。すると、制御部１は、「外部電源給電検出」の処理ステップＳ９に移行する。
【００５１】
制御部１は、この処理ステップＳ９では、充電制御回路１３により卓上充電器１４から給電されているかどうかを検出し、次に「外部電源より給電中？」の判断ステップＳ２に移行する。制御部１は、この判断ステップＳ１０では、処理ステップＳ１の検出結果により外部電源より給電されているかどうかを判定し、外部電源より給電中のとき（「ＹＥＳ」のとき）は、「通信速度を３８４ｋｂｐｓに設定」の処理ステップＳ１１に移行し、卓上充電器から離され、外部電源より給電中でなく、電池によって電源が供給されているとき（「ＮＯ」のとき）は、「通信速度を３２ｋｂｐｓに設定」の処理ステップＳ１６に移行する。
【００５２】
制御部１は、処理ステップＳ１７では、カメラ９より取り込んだ画像信号を画像処理部７にて多少動きはぎこちなくなるが、何とか動画として見えるようにフレームレートを１０フレーム／ｓに設定し、次に「解像度を１７６×１４４ドットに設定」の処理ステップＳ１３に移行する。
【００５３】
制御部１は、処理ステップＳ１８では、カメラ９より取り込んだ画像信号を画像処理部７にて少し荒い画像解像度である１７６ラ １４４ドットに設定し、次に「バックライトの輝度３０％に設定」の処理ステップＳ１９に移行する。
【００５４】
制御部１は、処理ステップＳ１９では、低消費電力化のために表示器８に内蔵されているバックライトの輝度を３０％の輝度に設定し、次に「画像通信  音声通信」の処理ステップＳ１５に移行する。
【００５５】
また制御部１は、処理ステップＳ１１では、通信速度を３８４ｋｂｐｓの高速データ通信モードに設定し、次に「フレームレートを３０フレーム／ｓに設定」の処理ステップＳ１２に移行する。
【００５６】
制御部１は、処理ステップＳ１２では、カメラ９より取り込んだ画像信号を画像処理部７にてスムーズで自然な動きに見えるフレームレートである３０フレーム／ｓに設定し、次に「解像度を３５２×２８８ドットに設定」の処理ステップＳ１３に移行する。
【００５７】
制御部１は、処理ステップＳ１３では、カメラ９より取り込んだ画像信号を画像処理部７にて高画質な画像解像度である３５２ラ ２８８ドットに設定し、次に「バックライトの輝度１００％に設定」の処理ステップＳ１４に移行する。
【００５８】
制御部１は、処理ステップＳ１４では、受信画像を表示明るく見やすいようにするために表示器８に内蔵されているバックライトの輝度を最大の１００％に設定し、次に「画像通信  音声通信」の処理ステップＳ１５に移行する。
【００５９】
制御部１は、処理ステップＳ１５では、画像処理部７を動作させて、画像処理部７により表示器８に着信者側の画像を再生させ、発信者の画像カメラ９にて画像処理部７に送信させ、以て、画像通信モードとし、また、音声処理部４を動作させ、音声処理部４によりスピーカ５に着信者側の音声を再生させ、又、マイクロホン６によって発信者の音声を音声処理部４に入力させ、以て、音声通信モードとし、画像通信モードと音声通信モードとなっているので画像と音声の両方を通信している状態になり、次に「外部電源給電検出」の処理ステップＳ１に戻り処理を繰り返す。
【００６０】
制御部１は、処理ステップＳ１６では、通信速度を３２ｋｂｐｓの低速通信モードに設定し、次に「フレームレートを１０フレーム／ｓに設定」の処理ステップＳ１７に移行する。
【００６１】
このように、本実施例によれば、データ送信速度が速くなると消費電力が大きくなることに着目し、外部電源より給電されているときにのみ高速にデータ送信し、外部電源より給電されていないときは低速でデータ送信を行うことで、次のような効果を得ることができる。
【００６２】
制御部１の制御により、電池１２により動作しているときは３２ｋｂｐｓに設定するので低消費電力化が計られ通信継続時間を長くすることができ、卓上充電器１４に接続されているときは３８４ｋｂｐｓに設定されるので、単位時間当りの多くの情報量を送る高速通信することができるので、例えば高画質な画像を送信することが可能となる。
【００６３】
また、制御部１は、電池１２により動作しているときはフレームレートが１０フレーム／ｓに設定されるので多少動きはぎこちなくなるが低消費電力化が計られ通信継続時間を長くすることができ、卓上充電器１４に接続されているときはフレームレートは３０フレーム／ｓになるので自然で滑らかな動きの画像を送信することができる。
【００６４】
また、制御部１は、電池１２により動作しているときは画像の解像度を１７６×１４４ドットと多少荒く設定しているので低ビットレートで画像の送信が可能となり、電池１２による通信継続時間を向上できる。一方、卓上充電器１４に接続されているときは電池１２の場合に比べて画像の解像度を高め、３５２×２８８ドットに設定するので、高画質な画像を送信することができる。
【００６５】
また、制御部１は、電池１２により動作しているときはバックライトを３０％の明るさに設定し消費電力をおさえることにより通信継続時間を長くすることができ、卓上充電器１４に接続されているときはバックライトを１００％の明るさに設定し明るく見やすい画像を提供することができる。
【００６６】
（変形例）
本発明は、上記し且つ図面に示す実施例にのみ限定されるものではなく、次のような拡張、変形が可能である。
【００６７】
上記実施形態において、上記表示器８としては、携帯電話機の表面略全体にわたる大きな画面のものが望ましいが、従来のような携帯電話機の表面の一部の占めるような小さな画面のものであっても支障はない。
【００６８】
また、上記第１実施形態ではデータ通信速度を２段階で切り替えたが、電池１２の残量に応じてさらに多段階に切り替えるようにしても良い。
【００６９】
上記第２実施形態では、電池１２により動作しているときはバックライトを３０％の明るさに設定したが、電池１２により動作しているときはバックライトをオフさせても良い。
【００７０】
また、上記実施形態では、電池１２により動作しているときは３２ｋｂｐｓに設定したが、８ｋｂｐｓに設定し、音声通信のみ行ってもよい。このように制御することで次のような効果を得ることができる。制御部１は、電池１２により動作しているときは音声通信のみであるのでさらなる低消費電力化が計られ、通信継続時間を長くすることが可能となる。
【００７１】
また、上記第２実施形態では、卓上充電器１３に接続されているときのみに、高速データ送信、高解像度、高輝度としたが、これらそれぞれ使用者によって任意に設定可能にするようにしても良い。この場合、携帯型テレビ電話に使用者のキー操作により省電力モードが設定できるようにし、省電力モードが設定されているときのみに、上記図6 のフローチャートを実行するようにしても良い。
【００７２】
また、上記第２実施携帯において、卓上充電器１４に接続されているときには、接続されていない場合に比べて、送信音声信号、受信音声信号の増幅率を大きくするハンドフリーモードとしても良い。
また、上記実施形態では、本発明を携帯型テレビ電話に適用したが、本発明はテレビ画面を持たない単なる携帯電話にも適用できる。
【図面の簡単な説明】
【図１】本発明の実施形態の制御内容を示すフローチャート
【図２】上記実施形態における電気的構成を示すブロック線図
【図３】上記実施形態におけるデータ通信速度と消費電力との関係を表す図である。
【図４】本発明の第２実施形態における電気的ブロック図である。
【図５】上記第２実施形態における携帯型テレビ電話の構成図である。
【図６】上記第２実施形態の制御内容を示すフローチャートである。
【符号の説明】
１・・・制御部（制御手段、データ送信速度切替え手段）、
２・・・無線部（音声通信手段、画像通信手段）、
５・・・スピーカ（音声出力手段）、４・・・音声処理部（音声通信（送信）手段）、
６・・・マイクロホン（音声入力手段）、
７・・・画像処理部（画像通信手段、フレームレート可変手段、解像度可変手段）、
８・・・表示器（画像表示手段、表示装置照明手段）、９・・・カメラ（画像入力手段）、
１１・・・電源監視回路（残量検出手段）、１２・・・電池、
１３・・・充電制御回路（給電検出手段）、１４  卓上充電器（外部電源）。
【図１】
0003719482.tif 000002
【図２】
0003719482.tif 000003
【図３】
0003719482.tif 000004
【図４】
0003719482.tif 000005
【図５】
0003719482.tif 000006
【図６】
0003719482.tif 000007